(57)【要約】      （修正有）【課題】高分子吸水紙製の生理用パッドは焼却時に環境汚染を発生する。トイレに流せる水破壊性生理用パッドは環境汚染をしないが、流し水が不足するとトイレ配管が詰まり故障するのを防止する。【解決手段】水破壊性生理用パッドの上下各々の縁部に裂き目を設け、トイレに廃棄する際に裂き目を指先にて摘み引き裂き、流し易くする事により、配管詰まりを解消する。【選択図】図４
0003131970.tif 000002
【実用新案登録請求の範囲】
【請求項１】
水破壊性生理用パットにおいて、内部に吸収体を収納したる包装袋の上下各々のシール縁部の中央部に裂き目を設けて成ることを特徴とする水破壊性生理用パット。
【請求項２】
請求項１記載の水破壊性生理用パットにおいて、包装袋の上下各々のシール縁部の所要箇所に複数の裂き目を設けて成ることを特徴とする水破壊性生理用パット。
【考案の詳細な説明】
【技術分野】
【０００１】  本考案は、女性の生理に際し使用する生理用品であるが、その分野にあって特に水にて分解しトイレに流せる水破壊性素材を使用したる使い捨て生理用パットに関するものである。
【背景技術】
【０００２】  従来において、女性が生理に際して、使用したるものは綿、又は布であって、それ等ののものは生理用品として製品化されたものでなく、使用者が自ら作成したものであった。
社会生活が進歩するに従い、生理用品なるものが種々開発され商品として市場にて販売されるようになった。
現今の女性生理用品の主流は、吸水性高分子素材にて作られた使い捨てのものであるこのものは、性能的においては優れているが、薬剤を使用しているため、皮膚を損傷する場合があり、焼却処分の際にダイオキシンを発生し公害発生になる、この欠点を排除するため近年において水にて分解する吸水性素材を使用したトイレにて流し捨ての可能な生理用品が開発され販売されている。
又、最近において、布製であって洗濯することにより何度も使用できるものも市販されている。【０００３】
【特許文献】  特許公開平１０−１０８８００  特許公開平０６−２２８４３  特許公開平０５−１２３５９５  実用新案登録第３０４９９６２号
【考案の開示】
【考案が解決しようとする課題】
【０００４】  現今の女性の大多数は、吸水性高分子にて作られた生理用品を使用しているが、このものは性能上にては優れたものであるが、薬剤を含有しているため、使用者の体質によりて皮膚に損傷を起こす場合がある、又このものの廃棄量は多量なるため焼却処分する際にダイオキシンを発生させ公害を発生させている。
近年発売された洗濯することによりて何度も使用可能な生理用品は経済的であるが、手数を要し、非衛生であり、不潔感があるため、現今の女性には歓迎されないものである。
以上の欠点を排除する使い捨て生理用品として近年開発された生理用品に、水にて分解する綿状パルプにて作られた流し捨ての生理用品がある。
この生理用品はトイレにて流し捨てができる長所を有しているが、短所として、瞬時に水に分解しないためトイレにて流し捨てた場合に、流し用の水量が不足すると配管の途中において詰まり故障を発生させる事がある、このような故障発生を防止するために多量の水を必要とする事は、この生理用品にとって最も改善を要する問題である。
【課題を解決するための手段】
【０００５】  高分子吸水紙を使用した使い捨ての生理用品及び洗濯可能な生理用品については、一応完成された生理用品であるが、トイレにて流し捨てのできる水に分解する生理用品は、流し捨てに際し多量の水にて流さないと配管詰まりを発生させる、この欠点が、この生理用品の大きな短所となり商品価値を大きく低下させている。
この欠点を解決するために本考案は、本生理用品を流し廃棄する際に、小片に分断できるよう包装袋の上下各々の部分に引き裂き目を設けて、細く分断できる事を可能にする、この裂き目を指先にて摘み引き裂き分断することにより、流れを容易にし、且つ水分解も容易になし、配管詰まり故障を解決する。
裂き目はなるべく多く設け、吸収体を小片に分断化するほど、分解が迅速化され詰まり故障が解消され、流し用の水量も減量化される。
【考案の効果】
【０００６】  本考案は次の効果を奏する、水洗トイレにて流し捨てのできる使い捨て生理用品は、焼却処理のような環境汚染を発生しないが、流し捨てる際に、その水量が不足するとトイレ配管において詰まり故障を発生させる。
本考案は、この流し捨て生理用品を小片に分断できるよう包装袋の縁部に裂き目を設けており、この裂き目にて細く分割できるため、今まで発生していた配管詰まりの故障が防止出来る、又流れ易くなるため流し用の水も大幅に減量化でき、詰まり故障の不安も解消できる効果がある、この効果により商品価値を大きく高揚させる事ができる。
【考案を実施するための最良の形態】
【０００７】  水破壊性の素材にて経血を吸収する吸収体を適宜な縦、横、厚さに作成し、この吸収体を、水にて分解する紙状素材にて作られた包装袋内に入れ、この包装袋の上下に縁部を設ける、この縁部は包装袋の端の開口部分を閉塞シールしたる時にできるシール部である。
この上下の縁部に裂き目を適宜数設けて成るものを作成する、この裂き目の数は１乃至３が適当である。
【実施例】
【０００８】  以下本考案を図面に基づき詳細に説明する、［図１］は従来の水破壊性生理用パットの平面図であって、１は包装袋である、この包装袋１の内部に女性のメンスを吸収する吸収体３が収納されている。この包装袋１は、水にて分解する素材にて紙状に作成したものを使用している。
包装袋１は円筒状に作成されたものであって、その内部に吸収体を入れ、上下の開き口を閉塞させたものである、この上下のシール部、即ち閉塞したる部分が縁部２となる。【０００９】  ［図２］は従来の水破壊性生理用パットの側面断面図であって、包装袋１の内部にメンスを吸収する吸収体３が収納されている、この吸収体３は水にて破壊される綿状の素材である、包装袋１の上下の縁部２はシールした際にできるものである。【００１０】  ［図３］は、本考案の水破壊性生理用パッドの平面図であって、この生理用パットと［図１］の従来の生理用パッドを比較すると外観も内容も殆ど同一であって相違点は殆ど見受けられないが、［図３］に示された本考案の水破壊性生理用パットは縁部２に裂き目４が設けられている。
［図４］は本考案の水破壊性生理用パットを裂き目から↓のほうへ引き裂く状態を示す。生理用パットの縁部の裂き目は  縁部の端より２ｃｍ程にして内側の内蔵している吸水体の上部も１ｃｍ程裂き目が入れられているので引き裂く事が  簡単に出来る。内蔵されている吸水体は液体やペースト状でないので何ら不都合がない。夜間や生理の多い量の時には２・３枚重ねると良い。メーカにより色々な形の生理用パットが出ている。羽根付や中心部が盛り上がった物なども  水破壊性生理パットであれば包装袋の上下各々のシール縁部の所要箇所に  複数の裂き目を設けて成る事は勿論である水破壊性生理用パット。
この裂き目４を設けた目的用途を以下にて説明する。【００１１】  水洗トイレにて流し捨てのできる生理用パットは、他の高分子吸水紙の使い捨て生理用品のように焼却処分に際してダイオキシンを発生する環境汚染をしない、この長所を有して居る反面において、トイレにて流し処分した場合に、流し用の水量が不足するとトイレの配管の途中において詰まり故障を起こす事がある。
この故障発生は、ユーザーに対し不安を与えるため商品の信頼性に大きな影響を与える又多量の流し水を必要とする事も、この生理用パットの短所となっている。【００１２】  本考案は、流し捨て用の生理用パッドの上記欠点を解消させるためになされたものであって、従来の流し用の生理用パッドの上下各々の縁部２に、引き裂き用の裂き目４を設け、この裂き目４を両手の指先にて摘み引き裂き分断する。
裂き目４が１か所であれば、二つに分断される二つにても従来より各段に流れ易くなるため、それで良いとなるが、一層の効果を望むならば裂き目４を２か所又は３か所にするのが、良い事は勿論であるが、必要以上に引き裂きに手数を要する事はマイナスであるから、裂き目４の数は実用上にて自然に好ましい数が決定される。
縦長に引き裂いたものを、両端の縁部２を持って引けば簡単に二つに切れる、配管詰まりを避けるには、使用者もある程度の考慮はなすべきである。
本考案は、このような実施例に何等限定されるものでなく、考案の要旨を逸脱しない範囲において種々なる態様にて実施し得る事は勿論である。
【産業上利用の可能性】
【００１３】  女性の生理用品は必需品なるため確実な商品であるが、そのため競争の激しい業界である、この分野にて業績を上げるには、特別な長所を持った生理用パッドでなければならない、本考案は、焼却処分しないため環境汚染をしない、トイレにて流し処分ができるため汚物入れの始末、処理の手数が解消される。又出血の多い日や夜間は必要量重ねて使用すると良い。この製品は女性はもとより  尿漏れや  年配者でトイレの近い人  産後や  病人さんなど  お困りの方に取って大変助かる物です。
従来の流し捨て生理用パットはトイレの配管詰まりを発生し、多量の流し水を必要としたが、本考案により、これらの欠点が解消されるため、利用性は大きく期待される。
【図面の簡単な説明】
【００１４】
【図１】は従来の水破壊性生理用パットの平面図である。
【図２】は従来の水破壊性生理用パットの側面断面図である。
【図３】は本考案の水破壊性生理用パットの平面図である。
【図４】は本考案の水破壊性生理用パットを裂き目から↓方向に分割し引き裂く状態を示す。
【符号の説明】
１  包装袋
２  縁部
３  吸収体
４  裂き目
５  内側の吸収体おさえ止
６  生理用パットの当面側
Ａ  手
【図１】
0003131970.tif 000003
【図２】
0003131970.tif 000004
【図３】
0003131970.tif 000005
【図４】
0003131970.tif 000006